(57)【特許請求の範囲】
【請求項１】
カントリーエレベータにおける穀物貯蔵サイロであって、
複数の本サイロに囲まれる空間に間隙サイロを設けてなる穀物貯蔵サイロにおいて、
前記間隙サイロに減圧手段を接続し、前記間隙サイロを減圧可能とするとともに、
前記複数の本サイロの外側には空気層を有するサイロ壁が形成されてなり、放射冷却により温度が低下した前記空気層の空気を前記間隙サイロに吸気可能とすることを特徴とするカントリーエレベータにおける穀物貯蔵サイロ。
【請求項２】
前記本サイロは円筒状の側壁を有し、前記間隙サイロは前記本サイロの側壁に沿って内側へ湾曲する形状の側壁を有する請求項１記載のカントリーエレベータにおける穀物貯蔵サイロ。
【請求項３】
カントリーエレベータにおける生穀物の品質保持方法であって、
複数の本サイロに囲まれる空間に間隙サイロを設けてなる穀物貯蔵サイロを利用する生穀物の品質保持方法において、
前記間隙サイロには減圧手段が接続されてなり、
前記生穀物を前記間隙サイロに貯留し、前記間隙サイロを前記減圧手段によって減圧することで前記生穀物の穀温を低下させ、前記生穀物の品質を保持するとともに、
前記複数の本サイロの外側には空気層を有するサイロ壁が形成されてなり、放射冷却により温度が低下した前記空気層の空気を前記間隙サイロに吸気することで前記生穀物の穀温を低下させ、前記生穀物の品質を保持することを特徴とするカントリーエレベータにおける生穀物の品質保持方法。
【請求項４】
前記生穀物の品質保持中は、前記間隙サイロを減圧し、該減圧した状態を一定時間維持した後に、前記間隙サイロを大気圧に戻して換気を行い、再度前記間隙サイロを減圧することを繰り返す請求項３記載のカントリーエレベータにおける生穀物の品質保持方法。
【発明の詳細な説明】
【技術分野】
【０００１】
本発明は、カントリーエレベータにおける穀物貯蔵サイロ及びカントリーエレベータにおける生穀物の品質保持方法に関する。
【背景技術】
【０００２】
従来、カントリーエレベータは周知である（例えば、特許文献１を参照。）。
特許文献１に記載されたカントリーエレベータにおいて、収穫された穀物は、荷受ホッパに投入され、粗選機により夾雑物が選別除去されると共に荷受計量機により計量された後、穀物搬入コンベアにより貯留ビンに投入される。
【０００３】
そして、前記貯留ビンに投入された穀物は、送風機により該貯留ビンの下から上へ向けて通風されつつ、その日に収穫されたものが乾燥機へ移送されるまでの間、当該貯留ビンで貯留される。
【０００４】
特許文献１に記載されたカントリーエレベータによれば、荷受けされた穀物を前記貯留ビンで貯留することにより、前記穀物が乾燥機に移送される迄の間、当該穀物の品質を確保することができる。
【０００５】
しかしながら、前記貯留ビンは、荷受けされた穀物を一時的に貯留するものであり、荷受量の変動に対応するために小さなものが多数設置されることが一般的である。
そのため、特許文献１に記載されたカントリーエレベータは、前記貯留ビンを設置するための広い設置スペースを必要とする問題がある。
【先行技術文献】
【特許文献】
【０００６】
【特許文献１】特開２００５−６５９０号公報
【発明の概要】
【発明が解決しようとする課題】
【０００７】
そこで、本発明は、貯留ビンにかわる設備として、既存の設備を利用するものであって、生穀物を貯留し品質を保持することができるカントリーエレベータの穀物貯蔵サイロを提供することを目的とする。
また、本発明は、生穀物を前記穀物貯蔵サイロの間隙サイロに貯留して品質を保持するカントリーエレベータにおける生穀物の品質保持方法を提供することを目的とする。
【課題を解決するための手段】
【０００８】
上記目的を達成するため、本発明は、
カントリーエレベータにおける穀物貯蔵サイロであって、
複数の本サイロに囲まれる空間に間隙サイロを設けてなる穀物貯蔵サイロにおいて、
前記間隙サイロに減圧手段を接続し、前記間隙サイロを減圧可能とするとともに、
前記複数の本サイロの外側には空気層を有するサイロ壁が形成されてなり、放射冷却により温度が低下した前記空気層の空気を前記間隙サイロに吸気可能とすることを特徴とする。
【０００９】
本発明は、前記本サイロが円筒状の側壁を有し、前記間隙サイロが前記本サイロの側壁に沿って内側へ湾曲する形状の側壁を有することが好ましい。
【００１１】
また、上記目的を達成するため、本発明は、
カントリーエレベータにおける生穀物の品質保持方法であって、
複数の本サイロに囲まれる空間に間隙サイロを設けてなる穀物貯蔵サイロを利用する生穀物の品質保持方法において、
前記間隙サイロには減圧手段が接続されてなり、
前記生穀物を前記間隙サイロに貯留し、前記間隙サイロを前記減圧手段によって減圧することで前記生穀物の穀温を低下させ、前記生穀物の品質を保持することを特徴とする。
【００１２】
本発明は、前記複数の本サイロの外側に空気層を有するサイロ壁が形成されてなり、放射冷却により温度が低下した前記空気層の空気を前記間隙サイロに吸気する。
【００１３】
本発明は、前記生穀物の品質保持中は、前記間隙サイロを減圧し、該減圧した状態を一定時間維持した後に、前記間隙サイロを大気圧に戻して換気を行い、再度前記間隙サイロを減圧することを繰り返すことが好ましい。
【発明の効果】
【００１４】
本発明のカントリーエレベータにおける穀物貯蔵サイロは、間隙サイロに減圧手段を接続してなるので、前記間隙サイロを前記減圧手段によって減圧することで、前記間隙サイロに貯留した生穀物の穀温を低下させ、前記生穀物の品質を保持することができる。
【００１５】
また、本発明は、既存の設備である穀物貯蔵サイロを利用して、荷受けした生穀物の品質を保持することができるので、貯留ビンを利用する場合のように広い設置スペースを必要としない。
【００１６】
本発明のカントリーエレベータにおける穀物貯蔵サイロは、本サイロが円筒状の側壁を有し、前記間隙サイロが前記本サイロの側壁に沿って内側へ湾曲する形状の側壁を有することとすれば、前記間隙サイロが減圧に耐え得る強い構造となる。
【００１７】
本発明のカントリーエレベータにおける穀物貯蔵サイロは、前記複数の本サイロの外側に空気層を有するサイロ壁が形成されてなり、放射冷却により温度が低下した前記空気層の空気を前記間隙サイロ内に吸気可能とすることで、前記生穀物の穀温を低下させることができるため、低コストで品質保持機能を強化することができる、また、外気を前記間隙サイロ内に吸気することで、乾燥前等に前記生穀物の穀温を上昇させることができる。
【００１８】
また、本発明のカントリーエレベータにおける生穀物の品質保持方法によれば、既存の設備である、複数の本サイロに囲まれる空間に間隙サイロを設けてなる穀物貯蔵サイロを利用して、生穀物の品質を保持するので、貯留ビンを利用する場合のように広い設置スペースを必要としない。
【００１９】
本発明のカントリーエレベータにおける生穀物の品質保持方法は、前記複数の本サイロの外側に空気層を有するサイロ壁が形成されてなり、放射冷却により温度が低下した前記空気層の空気を前記間隙サイロに吸気することで、前記生穀物の穀温を低下させることができるため、低コストで品質保持機能を強化することができる。
【００２０】
本発明のカントリーエレベータにおける生穀物の品質保持方法は、前記生穀物の品質保持中は、前記間隙サイロを減圧し、該減圧した状態を一定時間維持した後に、前記間隙サイロを大気圧に戻して換気を行い、再度前記間隙サイロを減圧することを繰り返すこととすれば、前記生穀物の品質を適切に管理することができる。
【００２１】
また、本発明のカントリーエレベータにおける生穀物の品質保持方法は、前記間隙サイロから前記生穀物を排出する前に前記間隙サイロを大気圧に戻すこととすれば、前記排出時における前記生穀物のブリッジを防止することができる。
【図面の簡単な説明】
【００２２】
【図１】本発明の実施の形態におけるカントリーエレベータの平面模式図。
【図２】図１のカントリーエレベータにおける穀物貯蔵サイロの概略平面図。
【図３】図２のＡ−Ａ断面図。
【発明を実施するための形態】
【００２３】
本発明の実施の形態を図面に基づいて説明する。
図１は、本発明の実施の形態におけるカントリーエレベータの平面模式図を示す。
本発明の実施の形態において、建屋１内には、荷受けホッパ２、粗選装置３、前記荷受けホッパ２と前記粗選装置３を接続する揚穀機４が配設されている。また、前記建屋１内には、前記粗選装置３に隣接して乾燥機５が配設され、さらに籾摺・精選装置６が配設されている。
【００２４】
本発明の実施の形態において、前記建屋１の一側には、穀物貯蔵サイロ１５のサイロ群が設置されている。
前記穀物貯蔵サイロ１５は、６つの本サイロ７Ａ〜７Ｆと、該６つの本サイロ７Ａ〜７Ｆに囲まれる空間に設けられる２つの間隙サイロ８Ａ，８Ｂを有している。
【００２５】
前記穀物貯蔵サイロ１５の上部には、前記本サイロ７Ａ〜７Ｆ及び前記間隙サイロ８Ａ，８Ｂの各投入口に接続される図示しない投入用コンベアが設けられ、前記建屋１と前記穀物貯蔵サイロ１５の間には、前記投入用コンベアの始端側に接続されるサイロ用揚穀機１０が配設されている。
【００２６】
また、前記穀物貯蔵サイロ１５の下部であってスカート部内には、前記本サイロ７Ａ〜７Ｆ及び前記間隙サイロ８Ａ，８Ｂの各排出口に接続される図示しない取出用コンベアが配設される。
【００２７】
そして、前記取出用コンベアは、前記建屋１内の揚穀機１３に接続され、前記揚穀機１３は、上部吐出側が分岐して前記サイロ用揚穀機１０と前記乾燥機５に接続されている。
【００２８】
図２は、図１のカントリーエレベータにおける穀物貯蔵サイロの説明図であって概略平面図を示す。ここでは、本サイロ７Ｄが図示省略された状態を示す。図３は、図２のＡ−Ａ断面図を示す。
本発明の実施の形態における穀物貯蔵サイロ１５において、前記本サイロ７Ａ〜７Ｆは、鋼板により形成される円筒状の側壁１８を有している。また、前記間隙サイロ８Ａ，８Ｂは、鋼板により形成され、前記本サイロ７Ａ〜７Ｆの円筒状の側壁１８に沿って内側へ湾曲する形状の側壁１９を有している。
【００２９】
前記穀物貯蔵サイロ１５は、隣接する前記本サイロ７Ａ〜７Ｆが繋ぎ鋼板２０により互いに連結され一体に組み付けられて、前記間隙サイロ８Ａ，８Ｂとともにサイロ群を構成する。
【００３０】
そして、前記サイロ群の外側、即ち前記本サイロ７Ａ〜７Ｆの側壁１８及び前記繋ぎ板２０の外側には、図３におけるＢ部拡大図に示すように発泡ウレタンやグラスウール等の断熱材２１が設けられ、空気層２２となる空間を介して鉄板２４が被覆され、サイロ壁２３が形成されている。
【００３１】
前記サイロ群のスカート部１１内には、真空ポンプ２５が配設されており、前記真空ポンプ２５はフィルタ２６及び吸気バルブ２７を介して吸気用配管２８により一方の前記間隙サイロ８Ａの下部に接続されている。また、前記真空ポンプ２５は、排気バルブ２９を介して排気用配管３０により外部に連絡している。
【００３２】
他方、前記サイロ群の上方には、前記サイロ壁２３に形成される空気層２２の上部と連絡する吸気用配管３１が配設されており、前記吸気用配管３１は、吸気バルブ３２を介して一方の前記間隙サイロ８Ａの上部に接続されている。また、前記吸気用配管３１には、外気と連絡する分岐配管３３が吸気バルブ３４を介して連結されている。
なお、他方の間隙サイロ８Ｂについても同様に、真空ポンプ２５や吸気用配管等の構成を備えるが、ここでは図示説明を省略する。
【００３３】
次に、本発明の実施の形態におけるカントリーエレベータにおいて、生穀物の品質を保持する方法について説明する。
本発明の実施の形態におけるカントリーエレベータにおいて、荷受けホッパ２で荷受けした生籾等の生穀物は、粗選装置３により粗選・計量された後、サイロ用揚穀機１０と投入用コンベアを経て投入口９から間隙サイロ８Ａ，８Ｂに投入され貯留される。
【００３４】
前記間隙サイロ８Ａ，８Ｂに貯留された生穀物は、前記間隙サイロ８Ａ，８Ｂを真空ポンプ２５によって減圧することで穀温が低下して品質が保持される。
【００３５】
そして、前記生穀物は、前記乾燥機５が空く迄の間、品質が保持された状態で前記間隙サイロ８Ａ，８Ｂに貯留された後、排出口１２から排出され、前記取出用コンベアと揚穀機１３を経て前記乾燥機５に移送される。
【００３６】
ここで、前記生穀物の品質保持中は、以下（１）〜（４）の工程を繰り返すことが好ましい。
（１）前記間隙サイロ８Ａ，８Ｂを前記真空ポンプ２５で吸引し、約０．０２〜０．０３ＭＰａ（２０００〜３０００ｍｍＡｑ）の減圧状態とする。そして、前記間隙サイロ８Ａ，８Ｂに設置する圧力計の設定値の範囲内で前記真空ポンプ２５を起動・停止させながら前記間隙サイロ８Ａ，８Ｂの減圧状態を維持する。
【００３７】
（２）前記間隙サイロ８Ａ，８Ｂの減圧状態を一定時間維持した後は、前記吸気バルブ３２を開放して大気圧に戻す。
（３）前記吸気バルブ３０を開放した状態で前記真空ポンプ２５を数分間運転し、前記間隙サイロ８Ａ，８Ｂ内を換気する。
【００３８】
（４）前記吸気バルブ３０を閉じて前記真空ポンプ２５を起動させ、上記（１）の状態にする。
前記生穀物の品質保持中に上記（１）〜（４）の工程を繰り返すことで、前記間隙サイロ８Ａ，８Ｂに貯留された前記生穀物の品質を適切に管理することができる。
【００３９】
なお、前記生穀物を前記間隙サイロ８Ａ，８Ｂから排出する前に、前記吸気バルブ３２を開放して前記間隙サイロ８Ａ，８Ｂを大気圧に戻すこととすれば、排出時における前記生穀物のブリッジを防止することができる。
【００４０】
前記間隙サイロ８Ａ，８Ｂには、前記吸気用配管３１から前記サイロ壁２３における空気層２２の空気と外気とを適宜切り換えて吸気することができる。
【００４１】
例えば、放射冷却により温度が低下した前記空気層２２の空気を前記間隙サイロ８Ａ，８Ｂに吸気することとすれば、前記生穀物の穀温を低下させることができるために、低コストで品質保持機能を強化することができる。また、外気を前記間隙サイロ８Ａ，８Ｂに吸気することとすれば、乾燥前等に前記生穀物の穀温を上昇させることができる。
【００４２】
本発明の実施の形態において、前記穀物貯蔵サイロ１５は、間隙サイロ８Ａ，８Ｂに真空ポンプ２５を接続してなるので、前記真空ポンプ２５によって前記間隙サイロ８Ａ，８Ｂを減圧することで、該間隙サイロ８Ａ，８Ｂに貯留した生穀物の穀温を低下させ、前記生穀物の品質を保持することができる。
【００４３】
また、本発明の実施の形態において、カントリーエレベータは、荷受けした生穀物が乾燥機に移送される迄の間、既存の設備である穀物貯蔵サイロ１５を利用して前記生穀物を貯留し品質を保持することができるので、貯留ビンを利用する場合のように広い設置スペースを必要としない。
【００４４】
さらに、本発明の実施の形態において、前記穀物貯蔵サイロ１５は、本サイロ７Ａ〜７Ｆが円筒状の側壁１８を有し、前記間隙サイロ８Ａ，８Ｂが前記本サイロ７Ａ〜７Ｆの側壁に沿って内側へ湾曲する形状の側壁１９を有するので、減圧手段が接続される前記間隙サイロ８Ａ，８Ｂが減圧に耐え得る強い構造となる。
【００４５】
なお、本発明の実施の形態において、前記間隙サイロ８Ａ，８Ｂに貯留された生穀物内部の水分は、減圧により前記生穀物の表面側へ移動するので、乾燥機５における乾燥効率の向上が期待できる。
【００４６】
本発明は、上記実施の形態に限るものでなく、発明の範囲を逸脱しない限りにおいてその構成を適宜変更できることはいうまでもない。
【産業上の利用可能性】
【００４７】
本発明は、既存設備であるカントリーエレベータの穀物貯蔵サイロを利用して生穀物の品質を保持することができるため、極めて有用である。
【符号の説明】
【００４８】
１      建屋
２      荷受けホッパ
３      粗選装置
４      揚穀機
５      乾燥機
６      籾摺・精選装置
７Ａ〜７Ｆ      本サイロ
８Ａ，８Ｂ      間隙サイロ
９      投入口
１０      サイロ用揚穀機
１１      スカート部
１２      排出口
１３      揚穀機
１５      穀物貯蔵サイロ
１８      側壁（本サイロ）
１９      側壁（間隙サイロ）
２０      繋ぎ鋼板
２１      断熱材
２２      空気層
２３      サイロ壁
２４      鉄板
２５      真空ポンプ
２６      フィルタ
２７      吸気バルブ
２８      吸気用配管
２９      排気バルブ
３０      排気用配管
３１      吸気用配管
３２      吸気バルブ
３３      分岐配管
３４      吸気バルブ
【図１】
0006446921.tif 000002
【図２】
0006446921.tif 000003
【図３】
0006446921.tif 000004